(57)【要約】【課題】保温時の温水タンクの放熱ロスをなくして省エネを図ること。【解決手段】温水タンク１５の上面を覆うように、プリントベース１７を配設する構成としている。これによって、温水タンク保温時に上部へ放熱される熱が、プリントベースによって断熱されるので、保温時の温水タンクからの放熱ロスを少なくすることができる。【選択図】図２
2005336861.tif 000002
【特許請求の範囲】
【請求項１】
便器上に設けた本体と、前記本体内に設けられ、人体の局部を洗浄する洗浄手段、水を貯水し加熱して保温する加熱ヒータを内設した温水タンク及び前記洗浄手段や前記加熱ヒータなどを制御するプリントベースとを備え、前記プリントベースを前記温水タンクの上面を覆うように配設したトイレ装置。
【請求項２】
プリントベースは、結露対策などのためのポッティング材を施してなる請求項１に記載のトイレ装置。
【請求項３】
プリントベースは、プリントベースケース内に配設されてなる請求項１または２に記載のトイレ装置。
【請求項４】
プリントベースケースの底面と温水タンクの上面との間に、周囲にリブを配設してなる請求項１、２又は３に記載のトイレ装置。
【請求項５】
温水タンクの側面に断熱材を配設してなる請求項１〜４のいずれか１項に記載のトイレ装置。
【発明の詳細な説明】
【技術分野】
【０００１】
本発明は、温水タンクを備えたトイレ装置に関する。
【背景技術】
【０００２】
従来、この種のトイレ装置は、温水タンクとは別の場所に、プリントベースを配している（例えば、特許文献１参照）。図４は、前記公報に記載された従来のトイレ装置を便器にセットした状態の斜視図を示すものであり、図５は、同トイレ装置の本体内部の斜視図を示すものである。図４および図５において、制御用のプリントベース１は、本体２の袖部３に配され、加熱用ヒータ４が内設された温水タンク５は、本体２の胴体部６に配された構成である。
【特許文献１】特開２００４−３２６４号公報
【発明の開示】
【発明が解決しようとする課題】
【０００３】
しかしながら、前記従来の構成では、温水タンク５内の水を保温時の熱が温水タンク５の外殻から直接放熱されるため、放熱ロスが大きいという課題を有していた。
【０００４】
本発明は、前記従来の課題を解決するもので、保温時の温水タンクからの放熱ロスを少なくするトイレ装置の提供を目的とする。
【課題を解決するための手段】
【０００５】
前記従来の課題を解決するために、本発明のトイレ装置は、温水タンクの上面を覆うように、プリントベースを配する構成としたものである。
【０００６】
これによって、温水タンク保温時に上部へ放熱される熱が、プリントベースによって断熱されるので、保温時の温水タンクからの放熱ロスを少なくすることになる。
【０００７】
また、本発明のトイレ装置は、プリントベースに、結露対策などのためのポッティングを施す構成としたものである。
【０００８】
これによって、温水タンク保温時に上部へ放熱される熱が、プリントベースとポッティング材によって断熱されるので、保温時の温水タンクからの放熱ロスを、さらに少なくすることになる。
【０００９】
また、本発明のトイレ装置は、プリントベースを、プリントベースケース内に、配する構成としたものである。
【００１０】
これによって、温水タンク保温時に上部へ放熱される熱が、プリントベースとプリントベースケースによって断熱されるので、保温時の温水タンクからの放熱ロスを、さらに少なくすることになる。
【００１１】
また、プリントベースケース底面と温水タンク上面の間に、周囲にリブを配した構成としたものである。
【００１２】
これによって、温水タンク上面とプリントベースケース底面と周囲のリブの間の空気断熱層の効果も加わり、保温時の温水タンクからの放熱ロスを、さらに少なくすることになる。
【００１３】
また、温水タンクの側面には、断熱材を配し構成としたものである。
【００１４】
これによって、温水タンク保温時に側面から放熱される熱が、断熱材によって断熱されるので、保温時の温水タンクからの放熱ロスを、さらに少なくすることになる。
【発明の効果】
【００１５】
本発明のトイレ装置は、温水タンク保温時に上部へ放熱される熱が、プリントベースによって断熱されるので、保温時の温水タンクからの放熱ロスを少なくすることができる。
【発明を実施するための最良の形態】
【００１６】
第１の発明は、温水タンクの上面を覆うように、プリントベースを配する構成とすることによって、温水タンク保温時に上部へ放熱される熱が、プリントベースによって断熱されるので、保温時の温水タンクからの放熱ロスを少なくすることができる。
【００１７】
第２の発明は、特に、第１の発明のプリントベースに、結露対策などのためのポッティングを施す構成にすることによって、温水タンク保温時に上部へ放熱される熱が、プリントベースとポッティング材によって断熱されるので、保温時の温水タンクからの放熱ロスを、さらに少なくすることができる。
【００１８】
第３の発明は、特に、第１または２に発明のプリントベースを、プリントベースケース内に、配する構成とすることによって、温水タンク保温時に上部へ放熱される熱が、プリントベースとプリントベースケースによって断熱されるので、保温時の温水タンクからの放熱ロスを、さらに少なくすることができる。
【００１９】
第４の発明は、第１〜３のいずれか発明のプリントベースケース底面と温水タンク上面の間に、周囲にリブを配した構成とすることによって、温水タンク上面とプリントベースケース底面と周囲のリブの間の空気層の断熱効果も加わり、保温時の温水タンクからの放熱ロスを、さらに少なくすることができる。
【００２０】
第５の発明は、第１〜４のいずれか発明の温水タンクの側面に、断熱材を配した構成とすることによって、温水タンク保温時に側面から放熱される熱が、断熱材によって断熱されるので、保温時の温水タンクからの放熱ロスを、さらに少なくすることができる。
【００２１】
以下、本発明の実施の形態について、図面を参照しながら説明する。なお、この実施の形態によって本発明が限定されるものではない。
【００２２】
（実施の形態）
図１は、本発明の実施の形態１におけるトイレ装置を便器にセットした状態の斜視図を示すものであり、図２は同トイレ装置の本体内部の斜視図を示すものであり、図３は同トイレ装置の温水タンク付近の断面図である。
【００２３】
図１、２および３において、トイレ装置の本体１１は、便器１２の後部上面に横長に設けられ、本体１１は、用便後などに人体の局部を温水で洗う洗浄手段１３と、水を貯水し加熱して保温する加熱ヒータ１４を内設した温水タンク１５と、温水タンク１５へ水を供給するための止水電磁弁１６を有した給水手段１７と、洗浄手段１３や加熱ヒータ１４や止水電磁弁１６などを制御するための制御手段としてのプリントベース１８とを備えている。また、プリントベース１８はプリントベースケース１９内にポッティング材２０で、ポッティングされており、プリントベースケース１９は、温水タンク１５の上部を覆うように配されている。そしてプリントベースケース底面１９ａ周囲から、温水タンク上面１５ａに向かって、リブ２１が配されている。さらに、温水タンク１５の側面には、断熱材２２が配されている。
【００２４】
以上のように構成されたトイレ装置について、以下その動作、作用を説明する。
【００２５】
まず、温水タンク１５に貯水された水は、加熱ヒータ１４によって設定温度に暖められ、その後保温される。用便後などの洗浄時は、止水電磁弁１６が開いて、水道配管からの水が給水管２３から本体１１の給水手段１７を通じて、温水タンク１５の下部に注入され、保温された水が温水タンク１５内を押し上げられ、洗浄手段１３から噴出される。保温時は、温水タンク１５の周囲から熱が放熱されるが、温水タンク１５の上部への放熱は、プリントベース１８とポッティング材２０とプリントベースケース１９と温水タンク上面１５ａとプリントベースケース底面１８ａの間の空気層によって断熱することができる。
【００２６】
また、温水タンク１５の側面への放熱は、断熱材２２によって断熱することができる。
【産業上の利用可能性】
【００２７】
以上のように、本発明にかかるトイレ装置は、温水タンクの放熱を防ぐことができるので、温水器など、他の水機器の温水タンクなどの断熱用途にも適用できる。
【図面の簡単な説明】
【００２８】
【図１】本発明の実施の形態におけるトイレ装置を便器にセットした状態の斜視図
【図２】同トイレ装置の本体内部の斜視図
【図３】同トイレ装置の温水タンク付近の断面図
【図４】従来のトイレ装置を便器にセットした状態の斜視図
【図５】同トイレ装置の本体内部の斜視図
【符号の説明】
【００２９】
１１  本体
１２  便器
１３  洗浄手段
１４  加熱ヒータ
１５  温水タンク
１５ａ  温水タンク上面
１８  プリントベース（制御手段）
１９  プリントベースケース
１９ａ  プリントベースケース底面
２０  ポッティング材
２１  リブ
２２  断熱材
【図１】
2005336861.tif 000003
【図２】
2005336861.tif 000004
【図３】
2005336861.tif 000005
【図４】
2005336861.tif 000006
【図５】
2005336861.tif 000007